(57)【要約】      （修正有）【課題】被包装品（商品）の従来に無かった斬新な包装態様とする。【解決手段】垂直断面ａが２等辺三角形の三角錐状の箱本体１０は、一の垂直断面ａで分割されてその分割体１０ａ、１０ｂが底辺折り目線１１で折曲自在に連結されており、両分割体の一方に被包装品を嵌めて支持する中敷き２０が装填されている。中敷きも平面視三角形状で、その周囲に側壁２２を有して、その側壁は、中敷きが装填された分割体１０ａの開口から突出して、他の分割体１０ｂにその開口から嵌るようになっている。中敷きに装填された商品は斜め状態で展示される。【選択図】図２
2019210007.tif 000002
【特許請求の範囲】
【請求項１】
垂直断面（ａ）が２等辺三角形の三角錐状の箱本体（１０）を有し、その箱本体（１０）は、一の垂直断面（ａ）で分割されてその両分割体（１０ａ、１０ｂ）が前記垂直断面（ａ）の底辺折り目線（１１）で折曲自在に連結されており、
両分割体（１０ａ、１０ｂ）の一方に被包装品（Ｐ）を嵌めて支持する中敷き（２０）が装填されている包装箱。
【請求項２】
上記中敷き（２０）も平面視三角形状で、その周囲に側壁（２２）を有して、その側壁（２２）は、中敷き（２０）が装填された分割体（１０ａ）の開口から突出して、他の分割体（１０ｂ）にその開口から嵌るようになっている請求項１に記載の包装箱。
【発明の詳細な説明】
【技術分野】
【０００１】
この発明は、収納商品を展示可能な斬新な包装箱に関するものである。
【背景技術】
【０００２】
高級な化粧品、腕時計等は、それにふさわしい包装箱に包装され、その展示も高級感のあるショーケース等で行われる。そのショーケースによる展示も含めて、包装箱に収納した状態で展示される物もあり、この場合の包装箱は、商品を際だたせて高級感を醸し出すようにしている。
そのような包装箱として、特許文献１に記載の三角柱状体を２つ並べたものがある。この包装箱は、両三角柱状体を側面で並べたり（同文献１図３）、同背面で突き合わせたり（同図１６）している。
また、三角錐状箱として特許文献２に記載のものがある。
【先行技術文献】
【特許文献】
【０００３】
【特許文献１】特開平１１−１０５８６１号公報
【特許文献２】特開２００１−２４００３９号公報
【発明の概要】
【発明が解決しようとする課題】
【０００４】
上記特許文献１記載の包装箱は、それなりに斬新であるが、さらに、異なる展示態様の包装箱が要求されている。
この発明は、その異なる展示態様の包装箱を提供することを課題とする。
【課題を解決するための手段】
【０００５】
上記課題を達成するため、この発明は、垂直断面が２等辺三角形の三角錐状の箱本体を有し、その箱本体は、一の垂直断面で分割されてその両分割体が前記垂直断面の底辺折り目線で折曲自在に連結されており、両分割体の一方に被包装品を嵌めて支持する中敷きが装填されている構成としたのである。
三角錐とは、垂直断面に三角形を持つ錐体のことであり、辺６本、頂点４つからなり、さらに、面の数は立体に於ける最小限界の４つである。このことからまた、四面体とも呼ぶ。
この垂直断面が２等辺三角形の三角錐状の箱本体は、斬新であり、その箱本体が、一の垂直断面で分割されてその両分割体が２等辺三角形状の前記垂直断面の底辺で折曲自在に連結されているため、両分割体をその分割面で嵌め合わせた態様は、三角錐となる。
一方、連結部分で折り返して両分割体を背中合わせにすれば（反転すれば）、分割面が底面となって、中敷き表面が斜め状態で露出する。このため、中敷きに装填された商品は斜め状態で展示される。この態様は、従来になかった斬新なものとなる。
【０００６】
この構成において、上記中敷きも平面視三角形状で、その周囲に側壁を有して、その側壁は、中敷きが装填された分割体の開口から突出して、他の分割体にその開口から嵌るようになっている構成とすることができる。このようにすると、両分割体が嵌り合って、三角錐体の包装箱の態様が維持されやすくなる。
なお、特許文献２に記載の箱は、三角錐状を呈しているが、展示用のものではない。すなわち、この発明の包装箱のように、被包装品を露出して展示する機能を有していない。
【発明の効果】
【０００７】
この発明は、以上のように構成したので、従来になかった斬新な包装態様の包装箱となる。
【図面の簡単な説明】
【０００８】
【図１】この発明に係る包装箱の一実施形態の斜視図を示し、（ａ）は垂直断面を上下方向とした状態、（ｂ）は同左右方向とした状態
【図２】同実施形態の開放状態の斜視図
【図３】同実施形態の展示状態の斜視図
【図４】図１（ｂ）の断面図
【図５】図３の断面図
【図６】同実施形態の箱本体の展開図
【図７Ａ】同実施形態の箱本体の組み立て説明図
【図７Ｂ】同実施形態の箱本体の組み立て説明図
【図７Ｃ】同実施形態の箱本体の組み立て説明図
【図７Ｄ】同実施形態の箱本体の組み立て説明図
【図７Ｅ】同実施形態の箱本体の組み立て説明図
【図７Ｆ】同実施形態の箱本体の組み立て説明図
【図７Ｇ】同実施形態の箱本体の組み立て説明図
【図７Ｈ】同実施形態の箱本体の組み立て説明図
【図８】同実施形態の中敷きの箱本体への装填説明用斜視図
【図９】同実施形態の中敷きの斜視図
【図１０】同中敷きの展開図
【図１１】同中敷きの組み立て説明図
【図１２】同実施形態の支え板の斜視図
【図１３】同支え板の展開図
【図１４】他の支え板の斜視図
【図１５】同支え板の展開図
【図１６】同支え板を装填した他の実施形態の断面図
【図１７】中敷きの他例の展開図
【発明を実施するための形態】
【０００９】
この発明に係わる包装箱の一実施形態を図１〜図１３に示し、この実施形態の包装箱Ａは、ボール紙からなり、その表面（図６においては裏面）はアルミ蒸着によって鏡面とされている。
なお、図６、図１０、図１３、図１５、図１７中、太実線は切り目線、細実線ｒは折り目線、破線ｒ’はミシン目状折り目線である。
【００１０】
この包装箱Ａは、図１〜図３に示す、垂直断面ａが２等辺三角形の三角錐状の箱本体１０と、図９に示す、その箱本体１０に嵌めて被包装品（商品）Ｐを支持する平面視同じく２等辺三角形の中敷き２０と、図１２に示す、その被包装品Ｐを箱本体１０内で支える板（支え板）３０とから成る。
箱本体１０は、一の垂直断面ａ（図１、図２参照）で分割されてその分割体１０ａ、１０ｂが前記垂直断面（２等辺三角形）ａの底辺である折り目線１１で折曲自在に連結されており、両分割体１０ａ、１０ｂの一方に被包装品Ｐを嵌めて支持する中敷き２０が装填される。
【００１１】
この実施形態の箱本体１０は、図６に示すブランクからなり、上記底辺であるミシン目からなる折り目線１１を境にして２等辺三角形状の三角状面板１２ａ、１２ｂが連接（連設）されている。折り目線１１は、図６に記載のように、ミシン目が等間隔、同一長さでなくても、中央部を長い切り目とする等の両分割体１０ａ、１０ｂが容易に折れる一方、図３に示す両分割体１０ａ、１０ｂを背中合わせにして（反転して）設置した状態で、折り目線１１における上側の分割体１０ａが復帰（図３矢印方向に回動）して離れないように、そのミシン目の間隔及び長さを実験などによって適宜に設定する。折り目線１１は、両分割体１０ａ、１０ｂを切り離してその底辺を布等の可撓性のある素材で連結して形成することもできる。
【００１２】
その各面板１２ａ、１２ｂの両側にそれぞれ、前記２等辺三角形状を対称中心線で分割した直角三角形板１２ｃ、１２ｄが折り目線ｒを介して連接（連設）されている。各直角三角形板１２ｃ、１２ｄの側縁に補強板１３が折り目線ｒを介して連接され、その各補強板１３にはミシン目状折り目線ｒ’を介して裏板（底板）１４が連接されている。
また、直角三角形板１２ｃ、１２ｄの上縁又は下縁には折り目線ｒを介してそれぞれ舌片１５が連接され、一の裏板１４には折り目線ｒを介して山折りされる立ち上げ片１６が連接されている。
【００１３】
この箱本体１０は、図６のブランクから図７Ａ〜図７Ｈに示すようにして組み立てられる。すなわち、まず、一方の二等辺三角形状分割体１０ａ（図６において上側）を組み立てる場合について、図７Ａ〜図７Ｄに基づいて説明すると、一方の面板１２ａに連接された一方（図６において右側）の直角三角形板１２ｃに対し補強板１３を内側に折り畳み（図７Ａの鎖線から実線）、裏板１４を谷折りしつつ、面板１２ａに対し直角三角形板１２ｃを立ち上げるとともに、直角三角形板１２ｃ及び補強板１３の両舌片１５を内側に折り曲げて重ねる（図７Ｂの鎖線から実線）。
【００１４】
続いて、一方の面板１２ａに連接された他方（図６において左側）の直角三角形板１２ｃをその上縁の舌片１５を内側に折り畳んだ状態で立ち上げ（図７Ｃの鎖線から実線）、その直角三角形板１２ｃに連接された補強板１３を内側に折り畳むとともに、裏板１４を谷折りして面板１２ａに沿わせる（図７Ｄの鎖線から実線）。このとき、一方の直角三角形板１２ｃ及び補強板１３の重なった舌片１５を、他方の直角三角形板１２ｃ及び補強板１３の重なった舌片１５、１５の間に挿入して、一方の二等辺三角形状分割体１０ａを形成する（図７Ｄの鎖線から実線）。
【００１５】
つぎに、他方の分割体１０ｂ（図６において下側）を組み立てる場合について、図７Ｅ〜図７Ｈ（図７Ａ〜図７Ｄに対し分割体１０ａ、１０ｂの上下を逆にして（１８０度回転させて）いる）に基づいて説明すると、同様に、他方の面板１２ｂに連接された一方（図６において右側）の直角三角形板１２ｄに対し補強板１３を内側に折り畳み、裏板１４を谷折りしつつ、面板１２ｂに対し直角三角形板１２ｄを立ち上げるとともに、直角三角形板１２ｄの舌片１５を内側に折り曲げて重ねる（図７Ｅの鎖線から実線）。
【００１６】
続いて、他方の面板１２ｂに連接された他方（図６において左側）の直角三角形板１２ｄを立ち上げ（図７Ｆの鎖線から実線）、その直角三角形板１２ｄに連接された補強板１３を内側に折り畳むとともに、裏板１４を谷折りして面板１２ｂに沿わせる（図７Ｇの鎖線から実線→図７Ｈ）。このとき、同様に、一方の直角三角形板１２ｄ及び補強板１３の重なった舌片１５を、他方の直角三角形板１２ｄ及び補強板１３の重なった舌片１５、１５の間に挿入して、他方の二等辺三角形状分割体１０ｂを形成するとともに、立ち上げ片１６を山折りしてその先端の舌片１６ａを対向する直角三角形板１２ｄ、１２ｄ（補強板１３、１３）の三角部内に位置させる（図７Ｈ）。
【００１７】
以上のようにして構成した、折り目線１１で連結した両分割体１０ａ、１０ｂを、図７Ｈの矢印で示すように、前記折り目線１１を介して重ね合わせると、図１に示す、垂直断面ａが２等辺三角形の三角錐体となる。この三角錐体は、各分割体１０ａ、１０ｂの対向する両直角三角形板１２ｃ、１２ｄの底辺が突き合った線が垂直断面ａとなって、その断面ａを境にして分割体１０ａ、１０ｂが分離可能となっている。
【００１８】
中敷き２０は、図９〜図１１に示すように、２等辺三角形状の支持板２１とその両側の側壁となる脚板２２と糊片２３とからなる。支持板２１には、化粧水瓶のような長尺の棒状商品Ｐの端部を嵌めて支持する支持孔２４、２５が形成されている。その一方の嵌合孔２４は長方形状であり、他方の嵌合孔２５は円状の一部が四角状に切欠きされ、その円状部の周囲には短冊状に支片２６が設けられている。嵌合孔２４、２５の周囲一部が折り目線ｒとなって、その切り抜き片２４ａ、２５ａが内側に適宜に折り込まれる。
【００１９】
この中敷き２０は、図１０に示すブランクから、図１１に示すように、支持板２１に対し、脚板２２と糊片２３を折り目線ｒ又はミシン目状折り目線ｒ’を介して山折りし、糊片２３を適宜に箱本体１０の底表面（面板１２ａ）に貼着する。
【００２０】
支え板３０は、図９、図１２、図１３に示すように、基片３１の両側に係止片３２を有し、前側に舌片３３、後側に脚片３４及び支片３５が設けられている。この支え板３０は、中敷き２０の補強板２２の切り孔２８に係止片３２を差し込むことによって中敷き２０に取り付ける（図９参照）。支片３５は基片３１と舌片３３のミシン目状折り目線ｒ’に差し込んで基片３１に脚片３４を沿わせる（図１２の実線から鎖線）。
この支え板３０を備えた中敷き２０を、図８の鎖線から実線で示すように、一方の分割体１０ａに嵌める。このとき、箱本体１０の中敷き２０を装填した下方に支え板３０が位置し、その基片３１と脚片３４からなる立壁でもって、図４、図５に示すように、商品Ｐを支える。
【００２１】
この実施形態の包装箱Ａは以上の構成であり、図７Ｈに示すように、箱本体１０を組み立てた後、図２に示すように、支え板３０を備えた中敷き２０を嵌めた状態とする。この状態は、図２に示すように、中敷き２０の脚板２２が突出し、図１に示すように、その突出部に一方の分割体１０ａがピッタリ嵌り、垂直断面ａが２等辺三角形の三角錐状の箱本体１０とからなる包装箱Ａとなる。
【００２２】
この包装箱Ａは、図４に示すように、中敷き２０に商品Ｐを設けた包装状態において、図３、図５に示すように、蓋となっている分割体１０ｂを折り目線１１を介して反転させて（図５の鎖線矢印）、両分割体１０ａ、１０ｂを背中合わせにすれば、分割体１０ｂの分割面が底面となって、中敷き２０表面が斜め状態で露出した展示状態となる。このため、中敷き２０に装填された商品Ｐは斜め状態で展示される。この態様は、半割の三角錐が反転して背中合わせになった、従来になかった斬新なものとなる。
【００２３】
支え板の他例としては、図１４、図１５の態様のものが考えられ、この支え板４０は、等脚台形状の基片４１の両側辺及び上辺に脚片４２を有している。基片４１のほぼ中央には透孔４３が形成され、その透孔４３内に舌片４４が設けられている。
この支え板４０は、中敷き２０の下方に位置されて、商品Ｐの下面を支える（図１６参照）。
【００２４】
中敷き２０は、図１７に示すように、その両側縁にミシン目状折り目線ｒ’を介してフラップ片２９を設けるとともに、その折り目線ｒ’の途中に突片２９ａを切り起こし可能に設けたものとすることができる。この中敷き２０は、フラップ片２９を内側に折り曲げ、突片２９ａを横方向に立ち上げ、その突片２９ａを補強板１３と裏板１４の間のミシン目状折り目線ｒ’のミシン目に挿入して、中敷き２０を安定させることができる。
【００２５】
なお、上記各実施形態において、糊片２３等に限らず、箱本体１０の舌片１５等は適宜に他の板（片）に貼着して、分割体１０ａ、１０ｂ（箱本体１０）や中敷き２０、支え板３０、４０の形状を維持するようにすることは勿論である。
【００２６】
この発明に係る包装箱の材料は、ボール紙に限らず、プラスチック板、ダンボール紙等の種々のものを採用できる。
また、この発明の三角錐は、四面体とも言われ、断面垂直面が正三角形の場合も含むことは言うまでもない。
このように、今回開示された実施の形態はすべての点で例示であって制限的なものではないと考えられるべきである。この発明の範囲は、特許請求の範囲によって示され、特許請求の範囲と均等の意味および範囲内でのすべての変更が含まれることが意図される。
【符号の説明】
【００２７】
１０  箱本体
１０ａ、１０ｂ  箱本体の分割体
１１  分割体の底辺折り目線
１２ａ、１２ｂ  三角錐の各面板
１２ｃ、１２ｄ  同面板をなす直角三角形板
１３  補強板
１４  裏板（底板）
１５  舌片
１６  立ち上げ片
２０  中敷き
２１  中敷きの支持板
２２  同脚板
２３  同糊片
３０、４０  支え板
Ａ  包装箱  
Ｐ  被包装品（商品）
ａ  三角錐の垂直断面
ｒ  折り目線
ｒ’  ミシン目状折り目線
【図１】
2019210007.tif 000003
【図２】
2019210007.tif 000004
【図３】
2019210007.tif 000005
【図４】
2019210007.tif 000006
【図５】
2019210007.tif 000007
【図６】
2019210007.tif 000008
【図７Ａ】
2019210007.tif 000009
【図７Ｂ】
2019210007.tif 000010
【図７Ｃ】
2019210007.tif 000011
【図７Ｄ】
2019210007.tif 000012
【図７Ｅ】
2019210007.tif 000013
【図７Ｆ】
2019210007.tif 000014
【図７Ｇ】
2019210007.tif 000015
【図７Ｈ】
2019210007.tif 000016
【図８】
2019210007.tif 000017
【図９】
2019210007.tif 000018
【図１０】
2019210007.tif 000019
【図１１】
2019210007.tif 000020
【図１２】
2019210007.tif 000021
【図１３】
2019210007.tif 000022
【図１４】
2019210007.tif 000023
【図１５】
2019210007.tif 000024
【図１６】
2019210007.tif 000025
【図１７】
2019210007.tif 000026